(57)【要約】【課題】  日常温度下における模様表示と、日常温度を超える高温度下における模様表示が変わることで、同じ面で異なるメッセージ等を表示可能な手拭いを提供すること。【解決手段】  第１模様表示部２と第２模様表示部３を重層状に有し、第１模様表示部２は、日常温度下で有色に変色して、日常温度を超える高温度下で無色に変色する特性を持つ熱可逆変色性の材料を含有してなる熱可逆変色性微粒子層によって形成し、第２模様表示部３は、日常温度下で無色に変色して、日常温度を超える高温度下で有色に変色する特性を持つ熱可逆変色性の材料を含有してなる熱可逆変色性微粒子層によって形成し、これらの第１模様表示部２と第２模様表示部３とを重ね刷りして重層状に染色形成してある。【選択図】  図２
0003109539.tif 000002
【実用新案登録請求の範囲】
【請求項１】
第１模様表示部と第２模様表示部を重層状に有し、
前記第１模様表示部は、日常温度下で有色に変色して、日常温度を超える高温度下で無色に変色する特性を持つ熱可逆変色性の材料を含有してなる熱可逆変色性微粒子層によって形成し、
前記第２模様表示部は、日常温度下で無色に変色して、日常温度を超える高温度下で有色に変色する特性を持つ熱可逆変色性の材料を含有してなる熱可逆変色性微粒子層によって形成し、
これらの第１模様表示部と第２模様表示部とを重ね刷りして重層状に染色形成してあることを特徴とする手拭い。
【考案の詳細な説明】
【技術分野】
【０００１】
本考案は、タオルやハンカチ等の手拭いに関する。
【背景技術】
【０００２】
たとえば特許文献１に記載されている熱変色性布がある。そして、熱変色性布を構成する素繊維が１本１本独立してこれに熱変色性層が設けられているため、繊維に対する熱変色製顔料の分布が均一であり、これにより、布は風合いが良く、熱変色性のむらがないことが記載されている。
このように、温度によって可逆的に色が変化する熱変色性布が提案されている。したがって、この布で手拭いを作成して入浴した場合、色の変化を楽しむことができる有用性がある。
【特許文献１】特開昭６１−１７９３７１号公報
【考案の開示】
【考案が解決しようとする課題】
【０００３】
解決しようとする課題は、日常温度下における模様表示と、日常温度を超える高温度下における模様表示が変わることで、同じ面で異なるメッセージ等を表示可能な手拭いを提供することにある。
【課題を解決するための手段】
【０００４】
本考案では前記した課題を達成するため、第１模様表示部と第２模様表示部を重層状に有し、前記第１模様表示部は、日常温度下で有色に変色して、日常温度を超える高温度下で無色に変色する特性を持つ熱可逆変色性の材料を含有してなる熱可逆変色性微粒子層によって形成し、前記第２模様表示部は、日常温度下で無色に変色して、日常温度を超える高温度下で有色に変色する特性を持つ熱可逆変色性の材料を含有してなる熱可逆変色性微粒子層によって形成し、これらの第１模様表示部と第２模様表示部とを重ね刷りして重層状に染色形成してあることを特徴とする。
ここで、日常温度とは、ほぼ３５度くらいまでの温度を指す。また、日常温度を超える高温度とは、４０度前後の温度を指す。そして、有色とは明瞭に視認可能な程度を挿し、無色とは、視認することが不可能な状態およびどうにか視認可能な程度を含む。さらに、重層状とは、第１模様表示部と第２模様表示部の全てが重層状を呈している場合に限定されず、一部が重層状になっている場合も含む。
第１模様表示部と第２模様表示部の模様は、例えば、ともに適宜の図形あるいは文字であってもよいし、一方の図形と他方の文字の組み合わせでもよく制限されない。
第１模様表示部を染色して仕上げている熱可逆変色性微粒子層は、日常温度下で有色に変色して、日常温度を超える高温度下で無色に変色するところの高分子化合物中に熱可逆変色性材料を含有してなる公知の熱可逆変色性微粒子のものであればよく、例えばクロミカラーアクアライトＡＱインキ（商品名：松井色素化学工業所製）が挙げられる。
第２模様表示部を染色して仕上げている熱可逆変色性微粒子層は、日常温度下で無色に変色して、日常温度を超える高温度下で有色に変色するところの高分子化合物中に熱可逆変色性材料を含有してなる公知の熱可逆変色性微粒子のものであればよく、例えばマツミンネオカラーインキ（商品名：松井色素化学工業所製）が挙げられる。
【考案の効果】
【０００５】
Ａ．請求項１により、日常温度時における模様表示と、日常温度を超える高温度時における模様表示が変わることで、同じ面で異なるメッセージ等を表示することができる。
したがって、例えば温泉等に入って湯に浸すと、第１模様表示部が無色に変色する一方で、第２模様表示部が有色に変色することになり、隠されていたメッセージを伝えることができる。
【考案を実施するための最良の形態】
【０００６】
図１および図２には本考案の手拭いにおける実施の１形態を例示しており、手拭い１は、表面部１ａに第１模様表示部２と第２模様表示部３とを重ね刷りして重層状に染色形成してある。
第１模様表示部２は花柄模様にしてあり、この第１模様表示部２は、日常温度下で有色に変色して、日常温度を超える高温度下で無色に変色する特性を持つ熱可逆変色性の材料を含有してなる熱可逆変色性微粒子層（商品名：クロミカラーアクアライトＡＱインキ、松井色素化学工業所製）をプリントして形成してある。
第２模様表示部３は文字模様にしてあり、この第２模様表示部３は、日常温度下で無色に変色して、日常温度を超える高温度下で有色に変色する特性を持つ熱可逆変色性の材料を含有してなる熱可逆変色性微粒子層（商品名：マツミンネオカラーインキ、松井色素化学工業所製）をプリントして形成してある。
これにより、日常温度下では、第１模様表示部２が有色に変色していて明瞭に視認され、第２模様表示部３は無色に変色して視認されない（図１参照）。そして、高温度下では、第２模様表示部３が有色に変色していて明瞭に視認され、第１模様表示部２は無色に変色して視認されなくなる（図２参照）。
【０００７】
図３および図４には本考案の手拭いにおける実施の他の１形態を例示しており、手拭い１は、予め北海道の図形模様部４等をプリントしてある表面部１ａに第１模様表示部２と第２模様表示部３とを重ね刷りして重層状に染色形成してある。
第１模様表示部２は時計台の図形模様にしてあり、この第１模様表示部２は、日常温度下で有色に変色して、日常温度を超える高温度下で無色に変色する特性を持つ熱可逆変色性の材料を含有してなる熱可逆変色性微粒子層（商品名：クロミカラーアクアライトＡＱインキ、松井色素化学工業所製）をプリントして形成してある。
第２模様表示部３は文字模様にしてあり、この第２模様表示部３は、日常温度下で無色に変色して、日常温度を超える高温度下で有色に変色する特性を持つ熱可逆変色性の材料を含有してなる熱可逆変色性微粒子層（商品名：マツミンネオカラーインキ、松井色素化学工業所製）をプリントして形成してある。
これにより、日常温度下では、第１模様表示部２が有色に変色していて明瞭に視認され、第２模様表示部３は無色に変色して視認されない（図３参照）。そして、高温度下では、第２模様表示部３が有色に変色していて明瞭に視認され、第１模様表示部２は無色に変色して視認されなくなる（図４参照）。
【０００８】
前記した各態様は一例を示しているに過ぎず、第１模様表示部２、第２模様表示部３が他の図形、文字、その他であってもよく制限されない。
【図面の簡単な説明】
【０００９】
【図１】本考案の手拭いにおける実施の１形態を例示している正面図。
【図２】第１模様表示部が無色に変色して、第２模様表示部が有色に変色した状態の正面図。
【図３】本考案の手拭いにおける実施の他の１形態を例示している正面図。
【図４】第１模様表示部が無色に変色して、第２模様表示部が有色に変色した状態の正面図。
【符号の説明】
【００１０】
１  手拭い
２  第１模様表示部
３  第２模様表示部
４  図形模様部
【図１】
0003109539.tif 000003
【図２】
0003109539.tif 000004
【図３】
0003109539.tif 000005
【図４】
0003109539.tif 000006